【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
液滴を吐出するための複数の吐出口と、
前記各吐出口にそれぞれ連通する複数の流路と、
前記各流路に対応して配設され、前記流路内の液体を前記吐出口から吐出させるためのエネルギーを発生する複数のエネルギー発生素子と、
前記複数の流路の上流に位置し、前記複数の流路に液体を供給する第１共通液室と、
前記第１共通液室に液体を供給する液体供給通路と、
前記液体供給通路の上流に位置し、前記液体供給通路に供給される液体を収容する第２共通液室と、
前記第２共通液室を形成する枠体とを有する液体噴射記録ヘッドにおいて、
前記枠体の一部に、前記第２共通液室へ液体を注入するために用いられる穴部が形成されると共に、弾性体からなる栓部材が前記穴部を塞ぐように前記穴部に設けられ、
前記栓部材には、前記穴部の深さ方向に対して略垂直な面において、亀裂が交差する中心から少なくとも３方向に向かう亀裂を有する亀裂穴が前記深さ方向に形成され、
前記亀裂が交差する中心が、前記栓部材の前記略垂直な面の中心と略一致しており、前記栓部材の外周まで至ることなく形成されていることを特徴とする液体噴出記録ヘッド。
【請求項２】
前記栓部材の前記亀裂穴は、前記亀裂が交差する中心から３方向以上５方向以下に向かう亀裂を有する請求項１に記載の液体噴射記録ヘッド。
【請求項３】
前記栓部材の前記亀裂穴は、前記亀裂が交差する中心から３方向または４方向に向かう亀裂を有する請求項２に記載の液体噴射記録ヘッド。
【請求項４】
前記栓部材の前記亀裂穴は、前記亀裂が交差する中心から３方向に向かう亀裂を有する請求項３に記載の液体噴射記録ヘッド。
【請求項５】
前記亀裂穴は、前記略垂直な面において略Ｙ字形状をなす請求項４に記載の液体噴射記録ヘッド。
【請求項６】
前記第２共通液室内へ液体を供給するための中空状の針状体が前記亀裂穴に挿通された状態で、前記針状体を通して前記第２共通液室内へ液体が供給される請求項１ないし５のいずれか１項に記載の液体噴射記録ヘッド。
【請求項７】
隣り合う２つの亀裂によって形成される亀裂片の先端から、前記亀裂の根元２個所を結んだ直線までの距離が、前記亀裂穴に挿通し、前記第２共通液室内へ液体を供給するための中空状の針状体の外径の１／２以下である請求項１に記載の液体噴射記録ヘッド。
【請求項８】
隣り合う２つの亀裂によって形成される亀裂片の先端から、前記亀裂の根元２個所を結んだ直線までの距離が、前記亀裂穴に挿通し、前記第２共通液室内へ液体を供給するための中空状の針状体の外径の略１／２である請求項１に記載の液体噴射記録ヘッド。
【請求項９】
前記穴部の深さ方向に対して垂直な方向の前記栓部材の断面の大きさが、前記枠体の穴部におけるその深さ方向に対して垂直な方向の断面形状の大きさよりも大きく形成され、前記穴部に圧入されている請求項１に記載の液体噴射記録ヘッド。
【請求項１０】
前記栓部材の亀裂穴は、前記栓部材が前記枠体の前記穴部に圧入される前に前記栓部材に予め形成される請求項９に記載の液体噴射記録ヘッド。
【請求項１１】
前記液体供給通路と前記第２共通液室との間に多孔質部材を有する請求項１に記載の液体噴射記録ヘッド。
【請求項１２】
請求項１ないし１１のいずれか１項に記載の液体噴射記録ヘッドを搭載して往復移動するキャリッジと、前記液体噴射記録ヘッドの前記第２共通液室内に供給するための液体を貯蔵したメインタンクと、前記キャリッジ上に設けられた前記液体噴射記録ヘッドの前記栓部材の亀裂穴に挿通されて、前記メインタンク内の液体を前記第２共通液室内に供給する中空状の針状体とを有する液体噴射記録装置。
【請求項１３】
被記録媒体に記録を行うために被記録媒体に向けて液滴を吐出するノズルと、前記ノズルに供給するための液体を保持する液室と、前記液室内に液体を供給するために形成された穴部とを有する液体噴射記録ヘッドの前記穴部を塞ぐように該穴部に設けられる弾性体からなる栓部材の製造方法であって、前記栓部材に前記液室内へ液体を供給する針状体が挿通するための亀裂穴を該穴部の深さ方向に形成する工程を有し、前記工程では、前記穴部の深さ方向に対して略垂直な面において、亀裂が交差する中心から少なくとも３方向に向かう亀裂を有する前記亀裂穴を形成することを特徴とする液体噴射記録ヘッドの栓部材の製造方法。
【請求項１４】
前記工程では、前記亀裂穴を、多角錐形状の先端部を有するパンチ部材を前記栓部材に差し込んで挿通させることによって形成する請求項１３に記載の液体噴射記録ヘッドの栓部材の製造方法。
【請求項１５】
前記パンチ部材は、三角錐または四角錐形状の先端部を有する請求項１４に記載の液体噴射記録ヘッドの栓部材の製造方法。
【請求項１６】
前記パンチ部材は、三角錐形状の先端部を有する請求項１５に記載の液体噴射記録ヘッドの栓部材の製造方法。
【請求項１７】
前記パンチ部材は、前記先端部、三角柱形状の中間部、および円柱形状の後方部の順に連設された形状を有する請求項１６に記載の液体噴射記録ヘッドの栓部材の製造方法。
【請求項１８】
前記パンチ部材は、前記円柱形状の後方部の外径が、前記針状体の外径と略等しい請求項１７に記載の液体噴射記録ヘッドの栓部材の製造方法。
【請求項１９】
前記栓部材に前記パンチ部材を挿通させる際に、前記栓部材における挿通部の周辺部を保持部材によって挟持して前記栓部材を保持する請求項１３に記載の液体噴射記録ヘッドの栓部材の製造方法。
【請求項２０】
前記栓部材に前記パンチ部材を挿通させる際には、前記栓部材の亀裂穴への前記針状体の挿通時に前記栓部材において前記針状体と最初に当接する面とは反対側の面から、前記パンチ部材を前記栓部材内に挿通させる請求項１３に記載の液体噴射記録ヘッドの栓部材の製造方法。
【手続補正２】
【補正対象書類名】明細書
【補正対象項目名】００２６
【補正方法】変更
【補正の内容】
【００２６】
しかしながら、上述した液体噴射吐出ヘッドの形態１〜３の内、形態１の液体貯蔵室を一体的に収容した液体噴射記録ヘッドや、形態２の交換式の液体貯蔵室を搭載した液体噴射記録ヘッドでは、液体貯蔵量が制限されてしまい、液体が大量に消費されるような場合には液体貯蔵室や液体噴射記録ヘッドを頻繁に交換することになり、オペレータの操作が煩わしくなる上、消耗品の消費コストが増大するという問題点がある。
【手続補正３】
【補正対象書類名】明細書
【補正対象項目名】００３９
【補正方法】変更
【補正の内容】
【００３９】
以上のことから、針状体の先端の進入軌跡が栓部材のスリット上あるいはその近傍に位置するように、針状体の配設位置と栓部材のスリットの向きとの相対関係を高精度に設定する必要があり、このような高精度なレイアウトが液体噴射記録装置の生産性を悪くし、記録装置全体を高価にする問題点となっていた。以上のような従来技術の例としては、特許文献１：米国特許６０７４０４９号明細書ならびに特許文献２：特開昭６１−２１３１５９号公報がある。
【手続補正４】
【補正対象書類名】明細書
【補正対象項目名】００４１
【補正方法】変更
【補正の内容】
【００４１】
【課題を解決するための手段】
上記目的を達成するために、本発明の液体噴射記録ヘッドは、液滴を吐出するための複数の吐出口と、前記各吐出口にそれぞれ連通する複数の流路と、前記各流路に対応して配設され、前記流路内の液滴を吐出口から吐出させるためのエネルギーを発生する複数のエネルギー発生素子と、複数の流路の上流に位置し複数の流路に液体を供給する第１共通液室と、前記第１共通液室に液体を供給する液体供給通路と、前記液体供給通路の上流に位置し前記液体供給通路に供給される液体を収容する第２共通液室と、前記第２共通液室を形成する枠体とを有する液体噴出吐出記録ヘッドにおいて、前記枠体の一部に、第２共通液室へ液体を注入するために用いられる穴部が形成されると共に、弾性体からなる栓部材が該穴部を塞ぐように前記穴部に設けられ、前記栓部材には、穴部の深さ方向に対して略垂直な面において、亀裂が交差する中心から少なくとも３方向に向かう亀裂を有する亀裂穴が深さ方向に形成され、前記亀裂が交差する中心が、前記栓部材の前記略垂直な面の中心と略一致しており、前記栓部材の外周まで至ることなく形成されていることを特徴とするものである。
【手続補正５】
【補正対象書類名】明細書
【補正対象項目名】００４３
【補正方法】削除
【補正の内容】
【手続補正６】
【補正対象書類名】明細書
【補正対象項目名】０１４３
【補正方法】変更
【補正の内容】
【０１４３】
【発明の効果】
以上説明したように本発明の液体噴射記録ヘッドは、その液室内に液体を供給するために中空状の針状体が挿通される、弾性体からなる栓部材が液体噴射記録ヘッドに設けられた構成において栓部材に亀裂が交差する中心から少なくとも３方向に向かう亀裂を有する亀裂穴が予め形成され、この亀裂が交差する中心が、栓部材の略垂直な面の中心と略一致して、栓部材の外周まで至ることなく形成されたことにより、針状体が栓部材に当接して押圧されたときに、それまで閉塞状態にあった栓部材の亀裂穴は分割されて亀裂片が分離して陥没していくため、針状体の先端部は亀裂穴の中心部へスムーズに誘導されるようになるという効果が得られる。一方、針状体が栓部材から引き抜かれた際に、亀裂片は弾性回復によって速やかに所定の位置に復帰する。